(57)【要約】【課題】一枚の帯状の紙をジャバラ状に折り畳んで放射状の複数の見開き面を形成し、該見開き面にカレンダや写真等を貼付けて表示する見開き構造体を提供することを目的とする。【解決手段】紙またはプラスチックの帯状のシート材に等間隔の折り目を複数形成し、且つ前記シート材の裏側の面に接着剤を塗布した後に、前記シート材を前記折り目でジャバラ状に折り畳んで接着させ、更に前記シート材の両端部の裏面を接着することで、前記折り目を中心とした放射状の複数の見開き面が形成されることを特徴とする見開き構造体。【選択図】図１
2014091267.tif 000002
【特許請求の範囲】
【請求項１】
紙またはプラスチックの帯状のシート材に等間隔の折り目を複数形成し、且つ前記シート材の裏側の面に接着剤を塗布した後に、前記シート材を前記折り目でジャバラ状に折り畳んで接着させ、更に前記シート材の両端部の裏面を接着することで、前記折り目を中心とした放射状の複数の見開き面が形成されることを特徴とする見開き構造体。
【請求項２】
前記複数の見開き面が、４以上の偶数の見開き面であることを特徴とする請求項１記載の見開き構造体。
【請求項３】
前記放射状の複数の見開き面が、所定の形状に型抜きされることを特徴とする請求項１または２に記載の見開き構造体。
【請求項４】
前記放射状の複数の見開き面には、キャラクタが印刷されることを特徴とする請求項１乃至３のいずれか１項に記載の見開き構造体。
【請求項５】
前記放射状の複数の見開き面には、カレンダまたは写真の何れかが表示されることを特徴とする請求項１乃至４のいずれか１項に記載の見開き構造体。
【請求項６】
前記放射状の複数の見開き面を形成する際、前記見開き面にポケットが形成されるように前記シート材の裏側の面が接着されることを特徴とする請求項１乃至５のいずれか１項に記載の見開き構造体。
【発明の詳細な説明】
【技術分野】
【０００１】
本発明は、長方形状のシート材をジャバラ状に折り畳んで形成された面が、放射状に組み合わされて複数の見開き面を形成し、該見開き面にカレンダや写真等を装着できる見開き構造体に関する。
【背景技術】
【０００２】
従来から、複数の紙を左右対称の同一形状に切り取り、中央部分に上下方向から切込みを入れ、紙同士の切れ込みを交差させて形成された立体クリスマスツリーや、紙をジャバラ状に折り曲げて二つ折りの表紙の間に挟み込んだ飛び出す絵本、或いは両端を接続して円筒状に形成したランプシェードや花瓶カバー等が知られている。
【０００３】
また、飾りだけではなく機能を持たせたペーパクラフトとして、例えば特許文献１では、屏風状に折り曲げ可能な卓上型のカレンダ本体を、簡単な台座に組みつけることにより、簡便かつ低コストで、しかも体裁のよい植立カレンダが開示されている。
【先行技術文献】
【特許文献】
【０００４】
【特許文献１】特開平８−３３７０８０号公報
【発明の概要】
【発明が解決しようとする課題】
【０００５】
しかし、上記特許文献１記載のカレンダでは、１か月若しくは２か月毎に見開き面を変えなければならず、カレンダの使用者にとっては煩雑であるという課題があった。また、カレンダとは別に台座が必要であり、必ずしも構造が簡単であるとは言えなかった。
【０００６】
本発明は、以上の課題に着目し成されたもので、一枚の紙をジャバラ状に折り畳んで放射状の複数の見開き面を形成し、該見開き面にカレンダや写真等を貼付けて、卓上を飾る一個のディスプレイとして機能する見開き構造体を提供することを目的とする。
【課題を解決するための手段】
【０００７】
本発明は上記課題を解決するため、以下の構成を備えるものである。
【０００８】
（１）紙またはプラスチックの帯状のシート材に等間隔の折り目を複数形成し、且つ前記シート材の裏側の面に接着剤を塗布した後に、前記シート材を前記折り目でジャバラ状に折り畳んで接着させ、更に前記シート材の両端部の裏面を接着することで、前記折り目を中心とした放射状の複数の見開き面が形成されることを特徴とする見開き構造体。
【０００９】
（２）前記複数の見開き面が、４以上の偶数の見開き面であることを特徴とする前記（１）記載の見開き構造体。
【００１０】
（３）前記放射状の複数の見開き面が、所定の形状に型抜きされることを特徴とする前記（１）または（２）に記載の見開き構造体。
【００１１】
（４）前記放射状の複数の見開き面には、キャラクタが印刷されることを特徴とする前記（１）乃至（３）のいずれか１項に記載の見開き構造体。
【００１２】
（５）前記放射状の複数の見開き面には、カレンダまたは写真の何れかが表示されることを特徴とする前記（１）乃至（４）のいずれか１項に記載の見開き構造体。
【００１３】
（６）前記放射状の複数の見開き面を形成する際、前記見開き面にポケットが形成されるように前記シート材の裏側の面が接着されることを特徴とする前記（１）乃至（５）のいずれか１項に記載の見開き構造体。
【発明の効果】
【００１４】
本発明は、一枚の紙をジャバラ状に折り畳んで放射状に複数の見開き面を形成し、夫々の見開き面にカレンダや写真等を貼付け、季節や月日或いは気分に応じてカレンダや写真等を表示できる見開き構造体を提供することができる。
【００１５】
また、紡錘紙やプラスチックシートで形成した放射状の見開き面に、筒状のポケットを設けて鉛筆立てや花差しに利用できる見開き構造体を提供することができる。
【図面の簡単な説明】
【００１６】
【図１】本実施例に係る見開き構造体の斜視図
【図２】見開き構造体の作成工程を、（ａ）〜（ｇ）の順に説明する図
【図３】本実施例に係る見開き構造体の使用例を示し、（ａ）左右の見開き面にカレンダを貼付けた図、（ｂ）見開き面に貼付けるカレンダを示す図
【図４】本実施例に係る見開き構造体の別の使用例を示し、（ａ）立体フォトフレームとして利用した図、（ｂ）見開き面に花挿しを組込んだ図
【発明を実施するための形態】
【００１７】
以下、本発明を実施するための形態を実施例により説明する。尚、見開き構造体の機能を判りやすく説明するため、実施例ではカレンダを貼付けた六面の見開き構造体で説明する。
【実施例】
【００１８】
図１は本実施例に係る見開き構造体１の斜視図である。
【００１９】
見開き構造体１は、一枚の紙またはプラスチックからなる長方形状のシート材を、折り目８，９（図２参照）で均等に分割してジャバラ状に折り畳み、それを所定の形に型抜きして形成される。形成された見開き構造体１は、六面の見開き面２〜７と、各見開き面には折れ目８を境に対向する左右の半面（例えば見開き面２の左半面２ａと右半面２ｂ）を有している。なお、見開き面は六面に限定されるものではなく、四面以上の偶数面であれば例えば八面、十面、十二面等であってもよい。六面の見開き面２〜７は、各面の折り目８が背中合わせに接合されているため、折り目８を中心に各半面は、開口角が約６０度の間隔で放射状に配置される。
【００２０】
六面の見開き面２〜７の各半面には、月毎のカレンダＤが貼付けられ、六面で十二ヶ月のカレンダＤが表示される。また、六面の見開き面２〜７には、動物や漫画等の人気キャラクタが印刷されていても良く、顧客に配布する場合には、キャラクタと共に社名を印刷して宣伝用の表示面として使用するもことができる。
【００２１】
また、図１に示されているように、カレンダＤの月が代われば、例えば該当する見開き面２の左半面ａに１月、右半面ｂに２月が表示され、見開き面２のみ開口角度を大きく開いて配置することができる。
【００２２】
＜見開き構造体の作成方法＞
図２を使って、見開き構造体の作成工程を説明する。図２（ａ）は見開き構造体１を形成する長方形の帯状のシート材１０の表面を示し、一枚の紙またはプラスチックシートをジャバラ状に折り畳むため、折り目８，９を形成して均等に十二分割し、十二分割したうちの隣合う二つの面を一対として六面の見開き面２〜７を構成する。図中では、左から見開き面２で、右端が見開き面７となる。
【００２３】
折り目８は、夫々の見開き面２〜７の中央に形成されて一つの見開き面を左半面ａと右半面ｂに二分割し、夫々の見開き面の半面（例えば見開き面２の左半面２ａと右半面２ｂ）同士を、向い合せて対向させるように折り曲げられる。折り目９は、各見開き面２〜７の境界となり、隣り合う見開き面の半面（例えば、見開き面２の右半面２ｂと見開き面３の左半面３ａ）が背中合わせになるように折り曲げられる。図２（ｂ）は図２（ａ）に示すシート材１０をそのまま上下に回転させて裏返した状態の裏面を示し、図２（ａ）と同じ左端が見開き面２で、右端が見開き面７となる。
【００２４】
シート材１０の裏面には、折り目９を折り曲げた際、隣り合う見開き面の半面同士を背中合わせに接着するため、裏面には接着剤Ｅが塗布されている。また、接着剤Ｅの代わりに両面接着シートを利用して接着しても良い。尚、六面の見開き面を有する見開き構造体１の元になる長方形状のシート材１０には、予めキャラクタＣとカレンダＤが印刷された状態であっても良い。また、長方形状のシート材１０には、見開き構造体１を型抜きするための型抜き線１ａが予め下書きされていても良い。
【００２５】
図２（ｃ）に示すように、長方形のシート材１０に形成された折り目８，９に沿ってジャバラ状に折り畳み、シート材１０の裏面の接着剤Ｅで隣り合う見開き面の半面同士、例えば隣り合う見開き面２の右面２ｂと見開き面３の左面３ａが背中合わせになるように接着される。ジャバラ状に折り畳み接着することで、シート材１０の両端に位置する見開き面２の左面２ａ，と見開き面７の右面７ｂは未接着の状態となる。
【００２６】
図２（ｄ）に示すように、ジャバラ状に折り畳み接着されたシート材１０を柱状にすることで、未接着の半面２ａ，７ｂが背合わせとなり接着することができる。
【００２７】
図２（ｅ）は、図２（ｄ）において長方形状のシート材１０が、見開き面２の左半面２ａと見開き面７の右半面７ｂを背合わせに接着することで、見開き面２〜７が放射状に形成される。図２（ｆ）は、シート材１０の見開き面２〜７の一面を１８０度に開いて積層状態とし、所定の形状に型抜きする型抜き金具（不図示）で型抜きするため、型抜き線１ａに沿って不要領域Ｆを切り離して、見開き構造体１が完成する。見開き構造体１の形状は、顧客の要望に応じて様々な形状に型抜きすることができる。図２（ｇ）は完成した見開き構造体１で、夫々の見開き面２，３，４，５，６，７には、後からキャラクタＣを描いたり、カレンダＤを貼付けることも可能で、顧客の要望に応じ汎用のディスプレイ面として利用できる。
【００２８】
＜見開き構造体の使用例＞
図３は、卓上を飾る一個のディスプレイとして、左右の見開き面にカレンダＤを貼付けた見開き構造体１の使用例である。図３（ａ）は、見開き面７に描かれたキャラクタＣが透けて見えるような透明なプラスチック素材に印刷された１１月と１２月のカレンダＤである。
【００２９】
図３（ｂ）は、見開き面７に貼付けるカレンダＤで、最初からキャラクタＣと一緒に印刷される場合や、透明なプラスチックシートに印刷されたシールを、後から見開き面に貼付ける構造であっても良い。
【００３０】
次に、見開き構造体１の放射状に形成された複数の見開き面が、上述したカレンダＤに限定するものではなく、使用者の思いつきで様々な用途に応用できる一個のディスプレイとしての汎用性について、図４で説明する。
【００３１】
図４（ａ）は、見開き構造体１の複数の見開き面に、家族や動物の写真Ｇを貼り付ける立体フォトフレームとして利用した例である。また、図４（ｂ）に示すように、見開き構造体１の見開き面において、隣合う見開き面の半面同士を背中合わせに張り合わせた部分に中空部を形成、或いは可撓性の片口チューブで形成した筒状のポケット１１を設けて、夫々の半面を鉛筆立てや一輪挿し等の花差しにすることもできる。
【００３２】
或いは見開き構造体１の複数の見開き面を、気に入った指輪やブローチ等のアクセサリを飾るため、折り畳みのフック等を取付けてジュエリーハンガ等に利用しても良い。
【符号の説明】
【００３３】
１    見開き構造体
１ａ  型抜き線
２    見開き面
２ａ  左半面
２ｂ  右半面
３    見開き面
３ａ  左半面
３ｂ  右半面
４    見開き面
４ａ  左半面
４ｂ  右半面
５    見開き面
５ａ  左半面
５ｂ  右半面
６    見開き面
６ａ  左半面
６ｂ  右半面
７    見開き面
７ａ  左半面
７ｂ  右半面
８    折れ目
９    折れ目
１０  シート材
１１  ポケット
Ｃ    キャラクタ
Ｄ    カレンダ
Ｅ    接着剤
Ｆ    不要領域
Ｇ    写真
【図１】
2014091267.tif 000003
【図２】
2014091267.tif 000004
【図３】
2014091267.tif 000005
【図４】
2014091267.tif 000006